(57)【要約】【課題】  発信者が携帯電話サービス圏外・圏内を意識することなく、携帯電話サービスを利用可能にする。【解決手段】  携帯電話サービス網を介し、発信要求予約情報に基づいて予約された発信先携帯電話端末との間で通話を行う携帯電話端末１００である。携帯電話端末１００は、携帯電話サービス圏外にある場合に発信要求が行われた場合、発信要求予約情報を保存する発信要求予約記憶装置１６と、携帯電話サービス圏内にある場合に、発信要求予約記憶装置１６に保存された発信要求予約情報を携帯電話サービス網に通知する処理部１４，１５とを有する。【選択図】  図１
2009194817.tif 000002
【特許請求の範囲】
【請求項１】
発信元携帯電話端末と発信先携帯電話端末とが携帯電話サービス網を介して携帯電話の予約発信を行う携帯電話の予約発信方法であって、
上記発信元携帯電話端末は、
携帯電話サービス圏外にある場合に発信要求が行われた場合、この発信要求を発信要求予約情報として保存し、
携帯電話サービス圏内にある場合に、上記保存した発信要求予約情報を上記携帯電話サービス網に通知し、
上記携帯電話サービス網は、
上記発信元携帯電話端末から通知された上記発信要求予約情報を保存し、
上記発信要求予約情報に含まれている発信先の携帯電話番号を取得し、
上記発信先携帯電話端末が携帯電話サービス圏内である場合に、上記発信元携帯電話端末に着信要求を行い、
上記発信元携帯電話端末からの着信回答が着信拒否でない場合には、上記発信先携帯電話端末に着信要求を行い、
上記発信先携帯電話端末からの着信回答が着信拒否でない場合には、上記発信元携帯電話端末と上記発信先携帯電話端末の回線接続を行い通話を実現することを特徴とする携帯電話の予約発信方法。
【請求項２】
前記発信元携帯電話端末は、前記発信要求予約情報を表示することを特徴とする請求項１に記載の携帯電話の予約発信方法。
【請求項３】
前記携帯電話サービス網は、前記発信要求予約情報に発信元の携帯電話番号を付加して保存することを特徴とする請求項１又は２に記載の携帯電話の予約発信方法。
【請求項４】
前記携帯電話サービス網は、前記発信先携帯電話端末が携帯電話サービス圏内である場合に、前記発信先携帯電話端末へ前記発信元携帯電話端末からの発信要求を接続要求伺い情報として事前に通知しておき、
この接続要求伺いの結果、前記発信先携帯電話端末から接続を受ける旨の回答を得たときに、前記発信元携帯電話端末に着信要求を行うことを特徴とする請求項１乃至３のいずれか１項に記載の携帯電話の予約発信方法。
【請求項５】
前記発信先携帯電話端末は、前記接続要求伺い情報を保存し、
前記接続要求伺いがあった旨を表示することを特徴とする請求項４に記載の携帯電話の予約発信方法。
【請求項６】
発信元携帯電話端末と発信先携帯電話端末とが携帯電話サービス網を介して携帯電話の予約発信を行う携帯電話の予約発信システムであって、
上記発信元携帯電話端末は、
携帯電話サービス圏外にある場合に発信要求が行われた場合、この発信要求を発信要求予約情報として保存する第１の記憶手段と、
携帯電話サービス圏内にある場合に、上記第１の記憶手段に保存された発信要求予約情報を上記携帯電話サービス網に通知する第１の処理手段と、
上記携帯電話サービス網は、
上記第１の処理手段発から通知された上記発信要求予約情報を保存する第２の記憶手段と、
上記発信要求予約情報に含まれている発信先の携帯電話番号を取得し、発信先携帯電話端末が携帯電話サービス圏内である場合には発信元携帯電話端末に着信要求を行い、発信元携帯電話端末からの着信回答が着信拒否でない場合には発信先携帯電話端末に着信要求を行い、発信先携帯電話端末からの着信回答が着信拒否でない場合には上記発信元携帯電話端末と上記発信先携帯電話端末の回線接続を行い通話を実現する第２の処理手段とを有することを特徴とする携帯電話の予約発信システム。
【請求項７】
前記発信元携帯電話端末は、前記発信要求予約情報を表示する第１の出力装置を有することを特徴とする請求項６に記載の携帯電話の予約発信システム。
【請求項８】
前記第２の記憶手段は、前記発信要求予約情報に発信元の携帯電話番号を付加して保存することを特徴とする請求項６又は７に記載の携帯電話の予約発信システム。
【請求項９】
前記携帯電話サービス網は、前記発信先携帯電話端末が携帯電話サービス圏内である場合に前記発信先携帯電話端末へ前記発信元携帯電話端末からの発信要求を接続要求伺い情報として事前に通知しておき、この接続要求伺いの結果、前記発信先携帯電話端末から接続を受ける旨の回答を得たときに前記発信元携帯電話端末に着信要求を行う第３の処理手段を有することを特徴とする請求項６乃至８のいずれか１項に記載の携帯電話の予約発信システム。
【請求項１０】
前記発信先携帯電話端末は、前記接続要求伺い情報を保存する第３の記憶手段と、前記接続要求伺いがあった旨を表示する第２の出力手段とを有することを特徴とする請求項９に記載の携帯電話の予約発信システム。
【請求項１１】
携帯電話サービス網を介し、発信要求予約情報に基づいて予約された発信先携帯電話端末との間で通話を行う携帯電話端末であって、
携帯電話サービス圏外にある場合に発信要求が行われた場合、前記発信要求予約情報を保存する記憶手段と、
携帯電話サービス圏内にある場合に、上記記憶手段に保存された発信要求予約情報を上記携帯電話サービス網に通知する処理手段とを有することを特徴とする携帯電話端末。
【請求項１２】
前記発信要求予約情報を表示する出力手段を有することを特徴とする請求項１１に記載の携帯電話端末。
【発明の詳細な説明】
【技術分野】
【０００１】
本発明は、発信元携帯電話端末と発信先携帯電話端末とが携帯電話サービス網を介して携帯電話の予約発信を行う携帯電話の予約発信方法、予約発信システム及び携帯電話端末に関する。
【背景技術】
【０００２】
携帯電話サービス圏外については、これまでは携帯電話サービス網の充実によって圏外領域を縮小させ、顧客満足を向上させるのが根本的な解決策となるため、携帯電話サービス圏外における携帯電話の利用についてはこれまであまり考えられていなかった。しかしながら、山間部や地下等の携帯電話サービス網の充実が困難なところは多数存在しており、これらの改善には時間がかかることが予想される。
【０００３】
このような状況の下、携帯電話端末を使って携帯電話サービスを利用する場合に、発信者の携帯電話端末が携帯電話サービス圏外にある場合、携帯電話サービス圏内まで発信者が移動して発信することになる。
【０００４】
携帯電話サービス圏は目に見えるものではないため、携帯電話サービス圏内にあるか否かは、携帯電話端末を取りださないと発信者は確認できず、かつ携帯電話サービス圏内にあることを確認後、発信者は発信操作を行わなければならなかった。
【０００５】
これに関連する技術として、特開平９−３０７９６２号公報（特許文献１）あるいは特開２００５−３１８３１９号公報（特許文献２）がある。
【０００６】
上記特許文献１は、携帯電話端末が使用できない状態の時に、その端末に着信があった場合、その端末が使用可能となった時点で、発信者識別情報をその端末に通知するものである。
【０００７】
また、上記特許文献２は、携帯電話端末が携帯電話サービス圏外にある場合に、予約データを作成して格納し、携帯電話サービス圏内復帰時にユーザに通知するものである。
【０００８】
しかし、上記特許文献１及び特許文献２共に、着信側端末に対してのみ通知を行うものであり、発信者側端末の操作性は十分に向上しないという問題がある。
【０００９】
【特許文献１】特開平９−３０７９６２号公報
【特許文献２】特開２００５−３１８３１９号公報
【発明の開示】
【発明が解決しようとする課題】
【００１０】
そこで、本発明は、上記従来技術の問題点に鑑みて成されてものであり、その目的は、発信者が携帯電話サービス圏外・圏内を意識することなく、携帯電話サービスを利用可能にすることにある。
【課題を解決するための手段】
【００１１】
上記目的を達成するために、本発明では、発信元携帯電話端末と発信先携帯電話端末とが携帯電話サービス網を介して携帯電話の予約発信を行う携帯電話の予約発信方法であって、
上記発信元携帯電話端末は、
携帯電話サービス圏外にある場合に発信要求が行われた場合、この発信要求を発信要求予約情報として保存し、
携帯電話サービス圏内にある場合に、上記保存した発信要求予約情報を上記携帯電話サービス網に通知し、
上記携帯電話サービス網は、
上記発信元携帯電話端末から通知された上記発信要求予約情報を保存し、
上記発信要求予約情報に含まれている発信先の携帯電話番号を取得し、
上記発信先携帯電話端末が携帯電話サービス圏内である場合に、上記発信元携帯電話端末に着信要求を行い、
上記発信元携帯電話端末からの着信回答が着信拒否でない場合には、上記発信先携帯電話端末に着信要求を行い、
上記発信先携帯電話端末からの着信回答が着信拒否でない場合には、上記発信元携帯電話端末と上記発信先携帯電話端末の回線接続を行い通話を実現することを特徴とする。
【００１２】
また、本発明では、発信元携帯電話端末と発信先携帯電話端末とが携帯電話サービス網を介して携帯電話の予約発信を行う携帯電話の予約発信システムであって、
上記発信元携帯電話端末は、
携帯電話サービス圏外にある場合に発信要求が行われた場合、この発信要求を発信要求予約情報として保存する第１の記憶手段と、
携帯電話サービス圏内にある場合に、上記第１の記憶手段に保存された発信要求予約情報を上記携帯電話サービス網に通知する第１の処理手段と、
上記携帯電話サービス網は、
上記第１の処理手段発から通知された上記発信要求予約情報を保存する第２の記憶手段と、
上記発信要求予約情報に含まれている発信先の携帯電話番号を取得し、発信先携帯電話端末が携帯電話サービス圏内である場合には発信元携帯電話端末に着信要求を行い、発信元携帯電話端末からの着信回答が着信拒否でない場合には発信先携帯電話端末に着信要求を行い、発信先携帯電話端末からの着信回答が着信拒否でない場合には上記発信元携帯電話端末と上記発信先携帯電話端末の回線接続を行い通話を実現する第２の処理手段とを有することを特徴とする。
【００１３】
さらに、本発明では、携帯電話サービス網を介し、発信要求予約情報に基づいて予約された発信先携帯電話端末との間で通話を行う携帯電話端末であって、
携帯電話サービス圏外にある場合に発信要求が行われた場合、前記発信要求予約情報を保存する記憶手段と、
携帯電話サービス圏内にある場合に、上記記憶手段に保存された発信要求予約情報を上記携帯電話サービス網に通知する処理手段とを有することを特徴とする。
【発明の効果】
【００１４】
本発明によれば、携帯電話サービス圏外から圏内に入った段階で、携帯電話端末が自動的に発信操作を行うことにより、発信者が携帯電話サービス圏外・圏内を意識することなく携帯電話サービスを利用できる。
【発明を実施するための最良の形態】
【００１５】
次に、本発明の実施の形態について図面を参照して説明する。
【００１６】
（第１の実施の形態）
図１を参照して、本発明の第１の実施の形態に係る携帯電話端末の構成を説明する。
【００１７】
図１に示すように、携帯電話端末１００は、発信者が携帯電話端末１００の操作に必要なボタン等や、通話等で必要となるマイク等の入力装置１１と、携帯電話端末１００の状況を発信者に伝える表示装置等や通話等で必要となるスピーカー等の出力装置１２と、プログラム制御により動作する既存機能処理部１３、発信要求予約処理部１４、通信処理部１５と、発信要求予約情報を保存する発信要求予約記憶装置１６とを有する。
【００１８】
既存機能処理部１３は、入力装置１１の入力を受け、携帯電話サービス圏内にある場合には、通信処理部１５へ発信先への発信要求を行い、携帯電話サービス圏外にある場合には発信要求予約処理部１４へ発信要求情報を通知する。また、既存機能処理部１３は、通信処理部１５からの着信要求を受けた場合には、出力装置１２へ着信の表示を行い、入力装置１１からの着信応答を受けて、通信処理部１５へ着信応答を返し、発信元との通信を実現する。
【００１９】
発信要求予約処理部１４は、既存機能処理部１３から発信要求情報の通知を受けた場合には、発信要求予約記憶装置１６へ発信要求情報を発信要求予約情報として保存する。また、発信要求予約処理部１４は通信処理部１５から携帯電話サービス圏内の在圏ステータス通知を受け、発信要求予約記憶装置１６から発信要求予約情報を取り出し、通信処理部１５へ発信要求予約通知を行う。また、発信要求予約処理部１４は通信処理部１５から発信要求予約情報に記載されている発信先番号に対する着信通知を受けた場合には、当該発信要求予約情報を発信予約記憶装置４１から削除する。
【００２０】
通信処理部１５は、既存機能処理部１３または発信要求予約処理部１４からの要求を受け、アンテナ等の通信機器１７を制御し、携帯電話サービス網との通信を行う。また、通信処理部１５は携帯電話サービス網からの通知を受け、既存機能処理部１３または発信要求予約処理部１４に通知を行う。
【００２１】
次に、図２を参照して、携帯電話サービス網の構成を説明する。
【００２２】
図２に示すように、携帯電話サービス網２００は、プログラム制御により動作する通信処理部２１、予約受付処理部２２、接続処理部２３と、携帯電話端末１００との接続状況を随時更新する接続状況記憶装置２４と携帯電話端末１００から通知を受けた発信要求予約情報を保存する予約内容記憶装置２５とを有する。
【００２３】
通信処理部２１は、アンテナ等の通信機器２６を制御し、携帯電話端末１００との通信接続を随時行い、接続状況を接続状況記憶装置２４に保存する。また、通信処理部２１は予約受付処理部２２または接続処理部２３からの通知を受けまたは携帯電話端末１００からの発信要求を受け、携帯電話端末１００との通信接続を行う。
【００２４】
予約受付処理部２２は通信処理部２１を通して、携帯電話端末１００からの発信要求予約通知を受け、予約内容記憶装置２５に発信要求予約情報を保存する。
【００２５】
接続処理部２３は、予約内容記憶装置２５から発信要求予約情報を取り出し、通信処理部２１へ発信元・発信先双方の携帯電話端末１００との発信要求を行い、予約内容記憶装置２５から当該発信要求予約情報を削除する。
【００２６】
次に、図３を参照して、本実施の形態の動作の概要について説明する。
【００２７】
図３において、発信元携帯電話端末は図１の構成を有する発信者の携帯電話端末を、発信先携帯電話端末は図１の構成を有する発信者が発信したい先の携帯電話端末をそれぞれ示す。また、図３における携帯電話サービス網は図２の構成を有する。
【００２８】
図３を参照すると、携帯電話サービス圏外にある発信元携帯電話端末にて発信要求が行われた場合、当該発信要求を発信元携帯電話端末に発信要求予約情報として保存する(ステップＡ１)。
【００２９】
携帯電話サービス網から携帯電話サービス圏内にあることを示す在圏ステータス通知を受けた(ステップＡ２)発信元携帯電話端末は、保存してある発信要求予約情報を携帯電話サービス網に通知する(ステップＡ３)。
【００３０】
携帯電話サービス網は発信元携帯電話端末から通知された発信要求予約情報を保存し(ステップＡ４)、発信要求予約情報に記載されている発信先の携帯電話番号を取得し、発信先携帯電話端末の在圏ステータスを確認し(ステップＡ５)、発信先携帯電話端末が携帯電話サービス圏内である場合には、発信元携帯電話端末に発信(着信要求)を行う(ステップＡ６)。
【００３１】
発信元携帯電話端末から着信回答を受け(ステップＡ７)、着信回答が着信拒否でない場合には、発信先携帯電話端末に発信(着信要求)を行う(ステップＡ８)。
【００３２】
発信先携帯電話端末から着信回答を受け(ステップＡ９)、着信回答が着信拒否でない場合には、発信元携帯電話端末と発信先携帯電話端末の回線接続を行い通話を実現する(ステップＡ１０)。
【００３３】
次に図４、図５、図６及び図７を参照して、本実施の形態の動作について詳細に説明する。
【００３４】
図４を参照して、図３でのステップＡ１の動作について詳細に説明する。
【００３５】
まず、既存機能処理部１３は入力装置１１からの発信要求の入力を受ける(ステップＢ１)。既存機能処理部１３は携帯電話サービス在圏ステータスを保持しており、携帯電話サービス圏外にある場合には、出力装置１２に携帯電話サービス圏外にいるため、発信が行えない旨を表示する(ステップＢ２)。
【００３６】
既存機能処理部１３は発信先電話番号等の発信要求情報を発信要求予約処理部１４へ通知する(ステップＢ３)。
【００３７】
発信要求予約処理部１４は発信要求情報を発信要求予約記憶装置１６に保存し(ステップＢ４)、出力装置１２に発信要求の予約を行った旨を表示する(ステップＢ５)。
【００３８】
次に、図５を参照して、図３でのステップＡ２、Ａ３、Ａ４の動作について詳細に説明する。
【００３９】
携帯電話サービス圏内にある場合、携帯電話サービス網の通信処理部２１は在圏ステータス通知を携帯電話端末の通信処理部１５に通知する(ステップＣ１)。
【００４０】
通信処理部１５は発信要求予約処理部１４に携帯電話サービス圏内にあることを示す在圏ステータスを通知する(ステップＣ２)。
【００４１】
発信要求予約処理部１４は発信要求予約記憶装置１６に発信要求予約情報があるかを確認し(ステップＣ３)、発信要求予約情報がある場合には、発信要求予約記憶装置１６から発信要求予約情報を取り出し(ステップＣ４)、通信処理部１５へ当該発信要求予約情報を発信要求情報として通知する(ステップＣ５)。
【００４２】
通信処理部１５は携帯電話サービス網の通信処理部２１へ発信要求情報を通知する(ステップＣ６)。
【００４３】
通信処理部２１は携帯電話端末から通知された発信要求情報を予約受付処理部２２へ通知する(ステップＣ７)。
【００４４】
予約受付処理部２２は携帯電話端末から通知された発信要求情報に発信元電話番号を付加して、発信要求予約情報として予約内容記憶装置２５に保存し(ステップＣ８)、通信処理部２１へ発信要求の予約受付結果を通知する(ステップＣ９)。
【００４５】
通信処理部２１は携帯電話端末の通信処理部１５へ発信要求予約受付結果を通知する(ステップＣ１０)。
【００４６】
通信処理部１５は携帯電話サービス網からの発信要求予約受付結果を発信要求予約処理部１４へ通知する(ステップＣ１１)。
【００４７】
発信要求予約処理部１４は、発信要求予約受付結果が予約受付完了の場合には当該発信要求予約情報を発信要求予約記憶装置１６から削除する。発信要求予約処理部１４は、発信要求予約受付結果が予約受付拒否の場合には、当該発信要求を再度通知する必要があるため、発信要求予約記憶装置１６に残す(ステップＣ１２)。
【００４８】
次に図６を参照して、図３でのステップＡ５、Ａ６、Ａ７、Ａ８、Ａ９、Ａ１０の動作を詳細に説明する。
【００４９】
接続処理部２３は予約内容記憶装置２５に携帯電話端末からの発信要求予約情報があるかを確認し、発信要求予約情報がある場合には、予約内容記憶装置２５から発信要求予約情報を取り出す(ステップＤ１)。予約内容記憶装置２５に発信要求情報がない場合には、ステップＤ１を繰り返す。
【００５０】
接続処理部２３は発信要求予約情報に記載されている発信先の電話番号から発信先の携帯電話端末の在圏ステータスを接続状況記憶装置２４から取り出す(ステップＤ２)。
【００５１】
発信先の携帯電話端末が携帯電話サービス圏内にある場合、接続処理部２３は発信元携帯電話端末への接続要求を通信処理部２１へ通知する(ステップＤ３)。発信先の携帯電話端末が携帯電話サービス圏外にある場合はステップＤ１へ戻る。
【００５２】
通信処理部２１は発信元携帯電話端末へ発信処理を行う(ステップＤ４)。
【００５３】
発信元携帯電話端末からの接続要求応答が返ってきて(ステップＤ５)、接続要求応答が着信応答の場合には、通信処理部２１は発信先携帯電話端末に発信処理を行う(ステップＤ６)。ステップＤ５にて発信元携帯電話端末から接続要求応答が返ってこない場合にはステップＤ１へ戻る。接続要求応答が着信拒否の場合には、ステップＤ９へ進む。
【００５４】
発信先携帯電話端末からの接続要求応答が返ってきて(ステップＤ７)、接続要求応答が着信応答の場合には、通信処理部２１は発信元携帯電話からと発信先携帯電話からの回線を接続する(ステップＤ８)。発信先携帯電話端末からの接続要求応答が返ってこない場合には、発信元携帯電話端末との接続回線を切断し、ステップＤ１へ戻る。接続要求応答が着信拒否の場合には、発信元携帯電話端末との接続回線を切断し、ステップＤ９へ進む。
【００５５】
通信処理部２１は接続処理部２３に通話確立結果を通知する(ステップＤ９)。
【００５６】
接続処理部２３は予約内容記憶装置２５から当該発信要求予約情報を削除する(ステップＤ１０)。
【００５７】
次に、図７を参照して、図６でのステップＤ４、Ｄ５の発信元携帯電話端末の動作を詳細に説明する。
【００５８】
通信処理部１５は携帯電話サービス網からの着信要求を受け(ステップＥ１)、発信要求予約処理部１４および既存機能処理部１３へ着信があった旨を通知する(ステップＥ２、ステップＥ４)。
【００５９】
発信要求予約処理部１４は発信要求予約記憶装置１６から当該発信要求予約情報を削除する(ステップＥ３)。
【００６０】
既存機能処理部１３は出力装置１２へ着信があった旨を表示し(ステップＥ５)、入力装置１１から着信応答を受け(ステップＥ６)、通信処理部１５に着信応答を通知する(ステップＥ７)。
【００６１】
通信処理部１５は着信応答を携帯電話サービス網へ通知する(ステップＥ８)。
【００６２】
図６でのステップＤ６、Ｄ７の発信先携帯電話端末の動作は、図７でのステップＥ２、Ｅ３をスキップする部分を除けば図７に示す通りである。
【００６３】
本発明の第１の実施の形態によれば、携帯電話サービス圏外から圏内に入った段階で、携帯電話端末が自動的に発信操作を行うことにより、発信者が携帯電話サービス圏外・圏内を意識することなく携帯電話サービスを利用できる。
【００６４】
（第２の実施の形態）
図８を参照して、本発明の第２の実施の形態に係る携帯電話端末の構成を説明する。
【００６５】
図８に示すように、第２の実施の形態に係る携帯電話端末３００は、図１に示す携帯電話端末１００に、プログラム制御により動作する接続伺い処理部３１と携帯電話サービス網からの接続伺い情報を記憶する接続伺い記憶装置３２を追加したものである。その他の構成は、図１の携帯電話端末１００の構成と同様なのでその説明は省略する。
【００６６】
接続伺い処理部３１は通信処理部１５を通して携帯電話サービス網から通知された接続伺い情報を接続伺い記憶装置３２に保存・更新を行う。
【００６７】
次に、図９を参照して、第２の実施の形態に係る携帯電話サービス網の構成を説明する。
【００６８】
図９に示すように、第２の実施の形態に係る携帯電話サービス網４００は、図２に示す携帯電話サービス網２００に、プログラム制御により動作する予約伺い処理部４１、伺い結果処理部４２を追加すると共に、接続処理部２３を削除したものである。その他の構成は、図２の携帯電話サービス網２００の構成と同様なのでその説明は省略する。
【００６９】
予約伺い処理部４１は予約内容記憶装置２５から発信要求予約情報を取り出し、通信処理部２１を通して発信先携帯電話端末へ発信元からの発信要求を接続要求伺い情報として通知する。
【００７０】
伺い結果処理部４２は通信処理部２１を介して、発信先携帯電話端末から接続要求伺い結果の通知を受け、発信元・発信先双方の携帯電話端末との発信要求を行い、予約内容記憶装置２５から当該発信要求予約情報を削除する。
【００７１】
次に、図１０を参照して、本実施の形態の動作の概要を説明する。
【００７２】
図１０において、発信元携帯電話端末は図８の構成の発信者の携帯電話端末を、発信先携帯電話端末は図８の構成の発信者が発信したい先の携帯電話端末をそれぞれ示す。また、図１０に示す携帯電話サービス網は図９の構成を有する。
【００７３】
図１０を参照すると、ステップＡ６、Ａ７（点線内）で携帯電話サービス網から発信先携帯電話端末へ発信元からの発信要求を接続要求伺いとして事前通知し、発信先携帯電話端末から接続を受けるか否かを回答してもらう点が図３と異なる。その他のステップは図３と同様なのでその説明は省略する。
【００７４】
次に、図１１、図１２、図１３、図１４、図１５及び図１６を参照して、図３、図４、図５、図６及び図７に示す第１の実施の形態の動作と異なる動作について詳細に説明する。
【００７５】
図１１を参照して、図１０でのステップＡ４、Ａ５の動作について詳細に説明する。
【００７６】
まず、予約伺い処理部４１は予約内容記憶装置２５に携帯電話端末からの発信要求予約情報があるかを確認し、発信要求予約情報がある場合には、予約内容記憶装置２５から発信要求予約情報を取り出す(ステップＦ１)。予約内容記憶装置２５に発信要求情報がない場合には、ステップＦ１を繰り返す。
【００７７】
予約伺い処理部４１は発信要求予約情報に記載されている発信先の電話番号から発信先の携帯電話端末の在圏ステータスを接続情報記憶装置２４から取り出す(ステップＦ２)。
【００７８】
発信先の携帯電話端末が携帯電話サービス圏内にある場合、予約伺い処理部４１は発信要求予約情報を接続要求伺いとして通信処理部２１へ通知する(ステップＦ３)。発信先の携帯電話端末が携帯電話サービス圏外にある場合はステップＦ１へ戻る。
【００７９】
通信処理部２１は発信先携帯電話端末へ接続要求伺いを通知し(ステップＦ４)、予約伺い処理部４１に発信先携帯端末へ通知した状況を通知する(ステップＦ５)。
【００８０】
予約伺い処理部４１は発信先への通知を行った情報を付加して予約内容記憶装置２５の当該発信要求予約情報を更新する(ステップＦ６)。
【００８１】
次に、図１２を参照して、図１０でのステップＡ６の動作を詳細に説明する。
【００８２】
通信処理部１５は携帯電話サービス網からの接続要求伺い通知を受け(ステップＧ１)、接続伺い処理部３１に接続要求伺いを通知する(ステップＧ２)。
【００８３】
接続伺い処理部３１は接続伺い記憶装置３２に接続要求伺いを接続要求情報として保存し(ステップＧ３)、出力装置１２に接続要求伺いがあった旨を表示する(ステップＧ４)。
【００８４】
接続伺い処理部３１は入力装置１１からの接続要求を受けるか否かの入力を受け(ステップＧ５)、通信処理部１５へ接続要求伺い回答として通知する(ステップＧ６)。
【００８５】
通信処理部１５は携帯電話サービス網へ接続要求伺い回答を通知する(ステップＧ７)。
【００８６】
接続伺い処理部３１はステップＧ５での接続要求伺い回答が接続拒否の場合は、接続伺い記憶装置３２の当該接続要求情報を削除する(ステップＧ８)。
【００８７】
次に、図１３を参照して、図１０でのステップＡ７で接続要求伺い回答が接続拒否の場合のステップＡ７以降の携帯電話サービス網の動作の詳細を説明する。
【００８８】
通信処理部２１は発信先携帯電話端末から接続拒否として接続要求伺い回答通知を受け(ステップＨ１)、伺い結果処理部４２に接続要求伺い回答を通知する(ステップＨ２)。
【００８９】
伺い結果処理部４２は予約内容記憶装置２５から当該接続要求予約情報を削除し(ステップＨ３)、通信処理部２１に発信要求が拒否された旨を通知する(ステップＨ４)。
【００９０】
通信処理部２１は発信元携帯電話端末に発信要求が拒否された旨を通知する(ステップＨ５)。
【００９１】
次に、図１４を参照して、図１０でのステップＡ７で接続要求伺い回答が接続承認の場合のステップＡ７以降の携帯電話サービス網の動作の詳細を説明する。
【００９２】
通信処理部２１は発信先携帯電話端末から接続承認として接続要求伺い回答通知を受け(ステップＩ１)、伺い結果処理部４２に接続要求伺い回答を通知する(ステップＩ２)。
【００９３】
伺い結果処理部４２は発信元携帯電話端末への接続要求を通信処理部２１へ通知する(ステップＩ３)。発信先の携帯電話端末が携帯電話サービス圏外にある場合は処理を中断する。
【００９４】
通信処理部２１は発信元携帯電話端末へ発信処理を行う(ステップＩ４)。
【００９５】
発信元携帯電話端末からの接続要求応答が返ってきて(ステップＩ５)、接続要求応答が着信応答の場合には、通信処理部２１は発信先携帯電話端末に発信処理を行う(ステップＩ６)。
【００９６】
ステップＩ５にて発信元携帯電話端末から接続要求応答が返ってこない場合には発信元電話番号から発信元携帯電話端末の在圏ステータスを接続状況記憶装置２４で確認し、発信元携帯電話端末が携帯電話サービス圏内にある時点でステップＩ４を繰り返す。接続要求応答が着信拒否の場合には、ステップＩ９へ進む。
【００９７】
発信先携帯電話端末からの接続要求応答が返ってきて(ステップＩ７)、接続要求応答が着信応答の場合には、通信処理部２１は発信元携帯電話からと発信先携帯電話からの回線を接続する(ステップＩ８)。
【００９８】
発信先携帯電話端末からの接続要求応答が返ってこない場合には、発信元携帯電話端末との接続回線を切断し、発信元・発信先携帯電話端末の在圏ステータスを接続状況記憶装置２４で確認し、発信元および発信先携帯電話端末が携帯電話サービス圏内にある時点でステップＩ４から再開する。接続要求応答が着信拒否の場合には、発信元携帯電話端末との接続回線を切断し、ステップＩ９へ進む。
【００９９】
通信処理部２１は伺い結果処理部４２に通話確立結果を通知する(ステップＩ９)。
【０１００】
伺い結果処理部４２は予約内容記憶装置２５から当該発信要求予約情報を削除する(ステップＩ１０)。
【０１０１】
次に、図１５を参照して、図１０でのステップＡ７で接続要求伺い回答が接続拒否の場合のステップＡ７以降の発信元携帯電話端末の動作の詳細を説明する。
【０１０２】
通信処理部１５は携帯電話サービス網からの発信要求拒否の通知を受け(ステップＪ１)、発信要求予約処理部１４へ発信要求拒否の通知を行う(ステップＪ２)。
【０１０３】
発信要求予約処理部１４は出力装置１２に発信要求が拒否された旨を表示し(ステップＪ３)、発信要求予約記録装置１６に保存されている当該発信要求予約情報を削除する(ステップＪ４)。
【０１０４】
次に、図１６を参照して、図１０でのステップＡ７で接続要求伺い回答が接続承認の場合のステップＡ１０以降の発信先携帯電話端末の動作の詳細を説明する。
【０１０５】
通信処理部１５は携帯電話サービス網からの着信要求を受け(ステップＫ１)、接続伺い処理部３１および既存機能処理部１３へ着信通知を行う(ステップＫ２、Ｋ４)。
【０１０６】
接続伺い処理部３１は接続伺い記憶装置３２に保存されている当該接続伺い情報を削除する(ステップＫ３)。
【０１０７】
既存機能処理部１３は出力装置１２へ着信があった旨を表示し(ステップＫ５)、入力装置１１から着信応答を受け(ステップＫ６)、通信処理部１５に着信応答を通知する(ステップＫ７)。
【０１０８】
通信処理部１５は着信応答を携帯電話サービス網へ通知する(ステップＫ８)。
【０１０９】
上記第２の実施の形態では、発信先携帯電話端末に発信元からの発信要求伺いを送信し、その結果によって通話の実施を制御することにより、無駄な発信作業を行わないという効果を有する。
【０１１０】
上述のように、本発明の実施の形態は、携帯電話サービス圏外にある状態の携帯電話端末において、着信先番号を予約しておき、携帯電話サービス圏内に入った段階で、携帯電話端末自体が発信者に通知し、予約した着信先に発信を行うようにする。発信者は、携帯電話端末が携帯電話サービス圏内に入ったか否かを確認しなくても、携帯電話端末がお知らせして発信者の負担を軽減する。
【０１１１】
このように、本発明の実施の形態によれば、携帯電話サービス圏外にある状態で、発信操作を予約し、発信者が携帯電話端末を取り出さなくても携帯電話サービス圏内に入った段階で、予約した発信操作を携帯電話端末自体が携帯電話サービス網に通知することにより、発信者の操作軽減を実現する。また、通知を受けた携帯電話サービス網が、発信先携帯電話端末が携帯電話サービス圏内にいるかを判定した上で、発信元・発信先の双方に接続を行うことにより、発信元から発信先への通信接続の確実性を向上させる。
【０１１２】
以上、本発明者によってなされた発明を実施例に基づき具体的に説明したが、本発明は上記実施例に限定されるものではなく、その要旨を逸脱しない範囲で種々変更可能であることは言うまでもない。
【０１１３】
例えば、不安定なネットワーク構成においては、本発明と同様の方法により、ネットワーク利用要求を予約保存・予約処理することも可能である。
【図面の簡単な説明】
【０１１４】
【図１】本発明の第１の実施の形態に係る携帯電話端末の構成を示す図である。
【図２】本発明の第１の実施の形態に係る携帯電話サービス網の構成を示す図である。
【図３】本発明の第１の実施の形態の動作の概要を説明するための図である。
【図４】本発明の第１の実施の形態の動作の詳細を説明するための図である。
【図５】本発明の第１の実施の形態の動作の詳細を説明するための図である。
【図６】本発明の第１の実施の形態の動作の詳細を説明するための図である。
【図７】本発明の第１の実施の形態の動作の詳細を説明するための図である。
【図８】本発明の第２の実施の形態に係る携帯電話端末の構成を示す図である。
【図９】本発明の第２の実施の形態に係る携帯電話サービス網の構成を示す図である。
【図１０】本発明の第２の実施の形態の動作の概要を説明するための図である。
【図１１】本発明の第２の実施の形態の動作の詳細を説明するための図である。
【図１２】本発明の第２の実施の形態の動作の詳細を説明するための図である。
【図１３】本発明の第２の実施の形態の動作の詳細を説明するための図である。
【図１４】本発明の第２の実施の形態の動作の詳細を説明するための図である。
【図１５】本発明の第２の実施の形態の動作の詳細を説明するための図である。
【図１６】本発明の第２の実施の形態の動作の詳細を説明するための図である。
【符号の説明】
【０１１５】
１１  入力装置
１２  出力装置
１３  既存機能処理部
１４  発信要求予約処理部
１５  通信処理部
１６  発信要求予約記憶装置
１７  通信機器
２１  通信処理部
２２  予約受付処理部
２３  接続処理部
２４  接続状況記憶装置
２５  予約内容記憶装置
２６  通信機器
３１  接続伺い処理部
３２  接続伺い記憶装置
４１  予約伺い処理部
４２  伺い結果処理部
１００  携帯電話端末
２００  携帯電話サービス網
３００  携帯電話端末
４００  携帯電話サービス網
【図１】
2009194817.tif 000003
【図２】
2009194817.tif 000004
【図３】
2009194817.tif 000005
【図４】
2009194817.tif 000006
【図５】
2009194817.tif 000007
【図６】
2009194817.tif 000008
【図７】
2009194817.tif 000009
【図８】
2009194817.tif 000010
【図９】
2009194817.tif 000011
【図１０】
2009194817.tif 000012
【図１１】
2009194817.tif 000013
【図１２】
2009194817.tif 000014
【図１３】
2009194817.tif 000015
【図１４】
2009194817.tif 000016
【図１５】
2009194817.tif 000017
【図１６】
2009194817.tif 000018